(57)【要約】【課題】引き戸の建て付けが容易な引き戸ユニットを提供することを課題とする。【解決手段】開口部４をスライド自在に開閉する引き戸２と、前記開口部を開状態とする際に前記引き戸が収容される戸袋３とを備えた引き戸ユニット１であって、前記戸袋の前記開口部側縁部３０にはその長手方向に沿って切欠段部３２が形成されるともに、該切欠段部を隠すカバー部材５が取付けられることを特徴とする。【選択図】図１
2010196277.tif 000002
【特許請求の範囲】
【請求項１】
開口部をスライド自在に開閉する引き戸と、前記開口部を開状態とする際に前記引き戸が収容される戸袋とを備えた引き戸ユニットであって、
前記戸袋の前記開口部側縁部にはその長手方向に沿って切欠段部が形成されるともに、該切欠段部を隠すカバー部材が取付けられることを特徴とする引き戸ユニット。
【請求項２】
請求項１において、
前記カバー部材は、前記切欠段部の形状に合わせて嵌め入れられるよう形成されていることを特徴とする引き戸ユニット。
【請求項３】
請求項１又は請求項２において、
前記カバー部材には、前記引き戸に構成される引き手の位置に合わせて切欠凹所が形成されていることを特徴とする引き戸ユニット。
【発明の詳細な説明】
【技術分野】
【０００１】
本発明は、開口部をスライド自在に開閉する引き戸と、前記開口部を開状態とする際に前記引き戸が収容される戸袋とを備えた引き戸ユニットに関する。
【背景技術】
【０００２】
従来より、上述のような引き戸ユニットが知られており、下記特許文献１には、開口部をスライド自在に開閉する引き戸の建て付け構造が開示されている。
ここに記載の引き戸の建て付け構造は、鴨居と敷居と、両者の間に移動可能に建て付けられた引き戸とよりなり、鴨居には、引き戸の移動方向に沿って設けられたガイドレールを固定し、一方引き戸には鴨居と対面する上部に、ガイドレールを挿入する溝部を設けると共に該溝部の両端にはガイドレールを遊嵌する凹部を有する案内板を設けた構成とされている。
これによれば、引き戸を鴨居と敷居との間に建て付ける際には、引き戸の溝部と凹部をガイドレールに差込み、引き戸の溝部及び凹部の中にガイドレールが挿入されると引き戸の上部はガイドレールによって支承され、引き戸の下部を敷居の溝又はレールに配置すれば引き戸の建て付けができると記載されている。
【先行技術文献】
【特許文献】
【０００３】
【特許文献１】特開平１０−２８０７８３号公報
【発明の概要】
【発明が解決しようとする課題】
【０００４】
ところで、引き戸ユニットとして、引き戸を収納する戸袋を備えたものの場合は、引き戸で開口部を閉状態としたとき、戸袋と引き戸の端部との間に隙間が生じないよう開口部の開口部分の横幅より引き戸の横幅が大きく形成されている。そのため、引き戸を建て付けする際には、引き戸を斜めにして建て込む必要があり、建て付ける際に引き戸或いは戸袋に傷をつけてしまうなど非常に施工がしにくいという問題があった。
上記特許文献１に記載のものは、ガイドレールに沿って容易に引き戸の建て込みができたとしても、戸袋を備えた引き戸ユニットにおいて建て付けがし易いというものではなかった。
【０００５】
本発明は、上記実情に鑑みなされたものであり、戸袋を備えたものであっても引き戸の建て付けが容易な引き戸ユニットを提供することを課題とする。
【課題を解決するための手段】
【０００６】
本発明に係る引き戸ユニットは、開口部をスライド自在に開閉する引き戸と、前記開口部を開状態とする際に前記引き戸が収容される戸袋とを備えた引き戸ユニットであって、前記戸袋の前記開口部側縁部にはその長手方向に沿って切欠段部が形成されるともに、該切欠段部を隠すカバー部材が取付けられることを特徴とする。
【０００７】
また本発明において、カバー部材は、前記切欠段部の形状に合わせて嵌め入れられるよう形成されているものとしてもよい。なお、カバー部材の構成はこれに限定されず、カバー部材は戸袋の開口部側端面を覆うように形成されたものとしてもよい。更に本発明において、カバー部材には、前記引き戸に構成される引き手の位置に合わせて切欠凹所が形成されているものとしてもよい。
【発明の効果】
【０００８】
本発明に係る引き戸ユニットによれば、戸袋の開口部側縁部には切欠段部が形成されているので、引き戸を建て付ける際に切欠段部の部分に引き戸を受け入れるスペースができるので、スムーズに引き戸を開口部に建て付けることができる。よって引き戸を建て付ける際に引き戸を戸袋の開口部側縁部にぶつけて引き戸或いは戸袋に傷を付けてしまうようなことがない。
また前記開口部側縁部には切欠段部を隠すようにカバー部材が設けられるので、引き戸を建て付け後には戸袋の開口部側端面から切欠段部が露出することがなく、見栄えのよいものとすることができる。
【０００９】
カバー部材を前記切欠段部の形状に合わせて嵌め入れられるよう形成されているものとした場合は、切欠段部の部分に埃などが溜まることがなく、見栄えのよいものとすることができる。
【００１０】
カバー部材に、前記引き戸に構成される引き手の位置に合わせて切欠凹所が形成されているものとした場合は、戸袋に引き戸が収容された状態であっても、使用者が引き手に手をかけやすく、引き戸を引き出しやすいものとすることができる。
【図面の簡単な説明】
【００１１】
【図１】本発明に係る引き戸ユニットの第１の実施形態を模式的に示す図３（ｂ）のＡ−Ａ線矢視部分断面図であり、カバー部材の構成を示している。
【図２】図３（ｂ）のＢ−Ｂ線矢視部分断面図であり、（ａ）は引き戸を閉めた状態の図、（ｂ）は引き戸を開けた状態の図である。
【図３】同実施形態の引き戸ユニット全体を模式的に示す図であり、（ａ）は平面図、（ｂ）は正面図を示している。
【図４】同実施形態の引き戸ユニット全体を模式的に示す図であり、（ａ）は戸袋の開口部側端面の正面図、（ｂ）はカバー部材の全体斜視図である。
【図５】（ａ）〜（ｄ）は同実施形態の引き戸ユニットに引き戸を建て付ける工程を示す説明図である。
【図６】本発明に係る引き戸ユニットの第２の実施形態を模式的に示す図２（ｂ）のＣ−Ｃ線矢視部分断面図であり、（ａ）及び（ｂ）はカバー部材の構成を示している。
【図７】同実施形態の引き戸ユニット全体を模式的に示す図であり、（ａ）は平面図、（ｂ）は正面図を示している。
【図８】同実施形態の引き戸ユニット全体を模式的に示す図であり、（ａ）は戸袋の開口部側端面の正面図、（ｂ）はカバー部材の正面図である。
【発明を実施するための形態】
【００１２】
（第１の実施形態）
まず図１〜図５を参照しながら、本発明の第１の実施形態に係る引き戸ユニット１について説明する。なお図１、図２は説明のため、下レール４２の図示は省略し、Ａ−Ａ線或いはＢ−Ｂ線の矢視断面図を部分的に拡大して要部を示している。
第１実施形態に係る引き戸ユニット１は、リビングルーム、ダイニングルーム、廊下など建物内の各スペースを仕切る壁に設けられた開口部４をスライド自在に開閉する引き戸２と、開口部４の開口部分４４（図３（ａ）参照）を開状態とする際に前記引き戸２が収容される戸袋３とを備えている。
略方形に開口された開口部４の左右端部には縦枠４０、その上端部には上枠４１（鴨居）、下端部には床面に下レール４２が構成されており、上枠４１の凹所に設けられた上レール４３と下レール４２との間に引き戸２を建て付け、開口部４の開口部分４４をスライド自在に開閉できるようにしている。
【００１３】
引き戸２は木製などからなる方形の板体であり、引き戸２の両面には引き戸２を開閉するときに使用者の把持部となる引き手２０が設けられている。図３に示すように引き戸２の上端部には、上レール４３に係合されるガイドランナー２２が設けられており、引き戸２の下端部には、下レール４２に係合される戸車２１が設けられている。そしてこれらの係合により引き戸２が上枠４１と下レール４２との間をスライド自在に動かすことができるようになっている。
【００１４】
戸袋３は、引き戸２がスライドする下レール４２を挟むように引き戸２の両側に設けられる２枚の板体からなり、その外側面は化粧シートなどで構成される。戸袋３は、開口部４の開口部分４４を開状態とする際に引き戸２を収容するため開口部４の片側を閉塞するように設けられる。引き戸２で開口部分４４を閉状態としたときには、引き戸２と戸袋３とで隙間なく開口部分４４を閉状態とできるように構成されている。よって、開口部４の開口部分４４より引き戸２の横幅は大きく形成されており、開口部４を閉状態としたときには、引き戸２の端部と戸袋３の開口部側縁部３０とは重なり合うように配置される（図３（ｂ）参照）。
戸袋３の開口部側縁部３０にはその長手方向に沿って切欠段部３２が形成されており、戸袋３の開口部側端面３１にはカバー部材５が取付けられている。
よって戸袋３の開口部側縁部３０のそれぞれに切欠段部３２が形成されているので、図５（ａ）〜（ｃ）に示すように開口部側縁部３０に下レール４２のスペースだけでなく、切欠段部３２によるスペースが形成される。
【００１５】
カバー部材５は、図４（ｂ）に示すように引き手２０の位置に合わせて切欠凹所５０が形成された樹脂材製或いは木質材製からなるブロックの板体であり、引き戸２を建て付けた後に切欠段部３２を隠すために切欠段部３２の形状に合わせて嵌め入れられるよう形成されており、開口部側端面３１の長手方向に沿って取付けられる。なお、カバー部材５は、戸袋３と一体に目立たないようすっきり構成されることが望ましく、カバー部材５の開口部側端面３１となる部位は戸袋３に合わせて化粧シートなどを貼着したものとしてもよい。
これによれば、切欠段部３２によって形成されるスペースに埃などが溜まることがなく、見栄えのよいものとすることができる。
図１及び図４（ｂ）に示すように切欠段部３２に嵌め入れられるカバー部材５は戸袋３とダボ５１で結合されているため、カバー部材５及び戸袋３の切欠段部３２との継目には、ダボ穴５２、３３がそれぞれに形成されている。また図２（ａ）及び（ｂ）、図４（ａ）及び（ｂ）に示すようにカバー部材５には引き手２０の位置に合わせて切欠凹所５０が形成されている。
これによれば、戸袋３に引き戸２が収容された状態であっても、使用者が引き手２０に手をかけやすく、引き戸２を引き出しやすいものとすることができる。
【００１６】
続いて図５を参照しながら、引き戸２の建て付け施工要領について説明する。
まず引き戸２片側端部に設けられたガイドランナー２２を上レール４３に押し当てて係合させ、その後、下レール４２の上に戸車２１が載るように戸車２１と下レール４２とを係合させる（図５（ａ）参照）。このとき、戸袋３には切欠段部３２が形成されており、戸袋３の開口部側縁部３０に引き戸２を受け入れるスペースがあるので、このスペースを使って引き戸２を上レール４３、下レール４２に係合し、スムーズに開口部４に建て付けることができる。よって引き戸２を建て付ける際に引き戸２を戸袋３の開口部側縁部３０にぶつけて引き戸２或いは戸袋３に傷を付けてしまうようなことがない。
【００１７】
引き戸２の一方の片側端部が上レール４３及び下レール４２に係合されたら、これらレール４３、４２に沿わせるように引き戸２を戸袋３側にゆっくりスライドさせていく（図５（ｂ）参照）。そして引き戸２の他方の片側端部のガイドランナー２２を上レール４３に押し当てて係合させ、下レール４２と戸車２１とを係合させる。するとスムーズに引き戸２が建て付けられる（図５（ｃ）参照）。
そして、戸袋３の開口部側縁部３０に形成された切欠段部３２にカバー部材５を嵌め入れる。このとき、先に戸袋３のダボ穴３３にダボ５１を嵌合させ、嵌合されたダボ５１にカバー部材５のダボ穴５２が嵌合するよう両者（カバー部材５と戸袋３）を結合させてもよいし、カバー部材５のダボ穴５２にダボ５１を嵌合させておき、この状態で戸袋３のダボ穴３３にダボ５１を挿入して嵌合し両者を結合させてもよい。
このようにダボ結合されたものとすれば、カバー部材５を工具などを用いて強く引けば取外すことができるので、一旦建て付けた引き戸２を再び取外す際には、カバー部材５を取外し引き戸２の建て付け及び取外し作業を行えばよい。
こうしてカバー部材５を切欠段部３２に嵌め入れれば、引き戸２の建て付け施工が完了である（図５（ｄ）参照）。
【００１８】
なお、引き戸２の施工手順は上述の例に限定されるものではなく、戸車２１と下レール４２とを先に係合させてもよい。またカバー部材５と戸袋３の結合の仕方はダボ結合に限定されるものではなく、接着剤によって接着するものとしてもよく、釘などで結合状態とするものとしてもよい。また引き戸２を嵌め殺しにする場合は、ダボ５１に接着剤を塗布してカバー部材５と戸袋３とを結合状態とすれば、より一層強固に結合させることができる。更に上述したように戸袋３に切欠段部３２が形成されているので、引き戸２の建て付けだけでなく、取外しもしやすいものであることはいうまでもない。
【００１９】
（第２の実施形態）
次に図６〜図８を参照しながら、本発明の第２の実施形態に係る引き戸ユニット１について説明する。共通する部分には共通の符号を付し、共通する部分の説明は省略する。
第２実施形態に係る引き戸ユニット１は、リビングルーム、ダイニングルーム、廊下など建物内の各スペースを仕切る壁に設けられた開口部４をスライド自在に開閉する引き戸２と、開口部４の開口部分４４（図７（ａ）参照）を開状態とする際に前記引き戸２が収容される戸袋３とを備えている点は上述の実施形態と同様であり、カバー部材５の構成が上述の実施形態と異なるものである。
【００２０】
カバー部材５は、図７（ｂ）及び図８（ｂ）に示すように引き手２０の位置に合わせて切欠凹所５０が形成された樹脂材製或いは木質材製からなる薄板体であり、切欠段部３２を隠すために開口部側端面３１の長手方向に沿って取付けられ、戸袋３と一体になって目立たないようすっきり構成されることが望ましい。よってカバー部材５の外表面は、戸袋３に合わせて化粧シートなどで覆われたもの或いは、開口部側端面３１として外側になる面のみ化粧シートが貼着されたものとしてもよい。
【００２１】
図６（ａ）及び（ｂ）は引き戸２によって開口部４を閉状態にしたときの引き戸ユニット１を示しており、図６（ｂ）は図６（ａ）の変形例を示している。ここでは説明のため下レール４２の図示は省略している。
ここに示すように戸袋３の開口部側縁部３０に形成された切欠段部３２は開口部側端面３１に取付けられたカバー部材５によって隠されている。
これにより、戸袋３の開口部側端面３１から切欠段部３２が露出することがなく、見栄えのよいものとすることができる（図８（ａ）参照）。
カバー部材５は開口部側端面３１に接着剤、両面テープなどにより貼着されるものとしてもよいし、細釘などで固着されるものとしてもよい。
【００２２】
また図６（ｂ）の変形例に示すように蝶番などの連結具６によってカバー部材５を開口部側端面３１に取付けたものとしてもよい。これによれば、一旦建て込んだ引き戸２を取外したり、また再び引き戸２を建て込む際に、カバー部材５を開状態（図６（ｂ）の状態）とすれば、切欠段部３２を露出させることができ、切欠段部３２によるスペースを使って、引き戸２の建て付けを容易に行うことができる。なお、図６（ｂ）の変形例においても、引き戸２を建て付けた後はカバー部材５を両面テープなどで固着し、使用状態でカバー部材５が勝手に開閉することがないものとすることができる。
【００２３】
引き戸２の建て付け施工要領はカバー部材５の取付要領が異なる以外は第１の実施形態と同様であり、切欠段部３２によって形成されるスペースによってスムーズに引き戸２を開口部４に建て付けることができる。
【００２４】
以上、引き戸２、戸袋３、カバー部材５、切欠段部３２の形状、構造などは図例に限定されるものではなく、要は戸袋３を備えた引き戸ユニット１において引き戸２を建て付ける際に切欠段部３２によるスペースが形成されるものであればよく、またカバー部材５はその切欠段部３２を隠すよう構成されるものであればよい。更に引き戸ユニット１や引き戸２をスライド自在とする構造も図例に限定されるものではなく、例えば下レール４２は敷居に形成されるものであってもよい。
【符号の説明】
【００２５】
１      引き戸ユニット
２      引き戸
２０      引き手
３      戸袋
３０      開口部側縁部
３２      切欠段部
４      開口部
５      カバー部材
５０      切欠凹所
【図１】
2010196277.tif 000003
【図２】
2010196277.tif 000004
【図３】
2010196277.tif 000005
【図４】
2010196277.tif 000006
【図５】
2010196277.tif 000007
【図６】
2010196277.tif 000008
【図７】
2010196277.tif 000009
【図８】
2010196277.tif 000010